(57)【特許請求の範囲】
【請求項１】
遮光性材料で完全に包装されたストリップ中の感光性材料のリールからの可変な長さＤの感光性材料の遮光性な方法で完全に包装されたストリップ（２０）を得るための装置であって、
リールから来る感光性材料のストリップ（２０）の導入を可能にする第１の開口部（３０）と、
第１の開口部（３０）に設けられたボックスの遮光性を確実にする手段（３１）と、
ストリップ（２０）が外に出ることを可能にする第２の開口部（４０）と、
第２の開口部（４０）に設けられたボックスの遮光性を確実にする手段（４１）と、
ストリップの末端から距離Ｄでストリップをカットし、長さＤのストリップとリールから来る残りのストリップとを長さＬだけ分離する手段（５０）と、
各ストリップの両面に貼られた遮光性材料（８３）を用いて長さＤのストリップとリールから来る残りのストリップとが接触させずに遮光性な方法で強固に接続する手段（８０）と、
２つのストリップ間の１つの面に存在する材料と他の面に存在する材料をつなげる手段（９０）と
を設けた遮光性ボックスから成ることを特徴とする装置。
【請求項２】
ボックスの外及び第２の開口部を出た後に、遮光性な方法で完全に包装された長さＤの感光性材料のストリップを得るために、遮光性材料をカッティングする手段をさらに含むことを特徴とする請求項１記載の装置。
【請求項３】
遮光性材料で完全に包装されたストリップ中の感光性材料のリールからの可変な長さＤの遮光性な方法で完全に包装された感光性材料のストリップを得るための方法であって、
ａ）遮光性ボックス（１０）の中へリールから来る感光性材料のストリップ（２０）を導入し、、
ｂ）ボックス（１０）からのストリップ（２０）をリールから来るストリップの末端から距離Ｄでカットされるような長さへ持っていき、
ｃ）ストリップの末端から距離Ｄでストリップをカットし、ボックス内で長さＤのストリップとリールから来る残りのストリップとを分離し、
ｄ）各ストリップの両面に貼られた遮光性材料を用いて長さＤのストリップとリールから来る残りのストリップとが接触させずに遮光性な方法で強固に接続させ、
ｅ）２つのストリップ間の１つの面にある遮光性材料と他の面にある遮光性材料とをつなぎ、
ｆ）該接続がボックスの外に出るまでストリップを移動させ、
ｇ）遮光性な方法で完全に包装された長さＤの感光性材料のストリップを得るために遮光性材料をカットする
各工程から成ることを特徴とする方法。
【発明の詳細な説明】
【０００１】
【発明の属する技術分野】
本発明は、完全に包装され及び遮光性な方法で感光性材料のストリップを得るための装置及び方法に関し、特に産業上の放射線用フィルムの所望の長さを得るための装置及び方法に関する。
【０００２】
【従来の技術】
一般に、産業上の放射線用フィルムは、遮光性材料で包み込まれたフィルムの長い長さのリールで市場に出回っている。熱発電所または原子力発電所の建設において放射線用フィルムが使用に供されるとき、放射線用フィルムを使用するために、そのフィルムのストリップは希望される長さにカットされなければならない。直面する問題としては、フィルムのカットされた部分に光が当たってしまうことである。この問題を避けるために、放射線用フィルムの使用者らはフィルムを折り畳み、２つの連続的な”Ｕ”を形成し、それから接着剤を用いて各”Ｕ”の丸い部分を巻き付ける。よって各”Ｕ”にある２つのブランチは強固に結ばれる。それから２つの”Ｕ”の間のストリップをカットする。この技法を用いて直面する問題は、放射線用フィルムのストリップが折り畳まれ、この操作中に損傷を受けることである。一方この操作は必ずしもとても便利であるとは言えない。
【０００３】
【発明が解決しようとする課題】
本発明は、上述の点に鑑みてなされたものであり、十分な光のもとでリールから来る感光性材料のストリップが完全に遮光性な方法で包装され、予定の長さにカットする装置を提供することを目的とする。さらに十分な光のもとでリールから来る感光性材料のストリップが完全に遮光性な方法で包装され、予定の長さにカットする方法を提供し、該方法はフィルムのすべての劣化を避ける便利な使用を提供する。
【０００４】
【課題を解決するための手段】
上記の目的は、遮光性材料で完全に包装されたストリップ中の感光性材料のリールから来る可変長さＤの感光性材料の遮光性材料で完全に包装されたストリップを得るための装置により達成される。該装置は、
リールから来る感光性材料のストリップ（２０）の導入を可能にする第１の開口部（３０）と、
第１の開口部（３０）に設けられたボックスの遮光性を確実にする手段（３１）と、
ストリップ（２０）が外に出るのを可能にする第２の開口部（４０）と、
第２の開口部（４０）に設けられたボックスの遮光性を確実にする手段（４１）と、
ストリップの末端から距離Ｄでストリップをカットし、長さＤのストリップとリールから来る残りのストリップとを長さＬだけ分離する手段（５０）と、
各ストリップの両面に貼られた遮光性材料（８３）を用いて長さＤのストリップとリールから来る残りのストリップとが接触させずに遮光性な方法で強固に接続する手段（８０）と、
２つのストリップ間の１つの面に存在する材料と他の面に存在する材料をつなげる手段（９０）とを設けた遮光性ボックスから成る。
【０００５】
さらに上記目的は、遮光性材料で完全に包装されたストリップ中の感光性材料のリールから来る可変長さＤの感光性材料の遮光性な方法で完全に包装されたストリップを得るための方法より達成され、該方法は、
ａ）遮光性ボックス内にリールから来る感光性材料のストリップを導入し、
ｂ）ボックスからのストリップをリールから来るストリップの末端から距離Ｄでカットされるような長さへ持っいき、
ｃ）ストリップの末端から距離Ｄでストリップをカットし、ボックス内で長さＤのストリップとリールから来る残りのストリップとを分離し、
ｄ）各ストリップの両面に貼られた遮光性材料を用いて長さＤのストリップとリールから来る残りのストリップとが接触せずに遮光性な方法で強固に接続させ、
ｅ）２つのストリップ間の１つの面にある遮光性材料と他の面にある遮光性材料をつなぎ、
ｆ）該接続がボックスの外に出るまでストリップを移動させ、
ｇ）遮光性な方法で完全に包装された長さＤの感光性材料のストリップを得るために遮光性材料をカットすることから成る。
【０００６】
【発明の実施の形態】
図１を参照するに、遮光性材料で完全に包装されたフィルムストリップである放射線用フィルム２０のストリップが導入される遮光性ボックス１０から成る本発明による装置を見ることができる。ボックス１０にはリールから来るフィルムストリップ２０の導入を可能にする第１の開口部３０が装備される。開口部３０はボックスの遮光性を確かなものとするための手段３１を備えている。手段３１は例えば、ビロード繊維の形をとる光を密閉するブラシである。ストリップ２０の進行はストリップ２０の移動を可能にするローラー１１０により決まる。
【０００７】
ボックス１０はさらに、接続されたフィルムストリップが外に出ることを可能にする第２の開口部４０をから成る。開口部４０はボックスの遮光性を確実にする手段４１をも装備する。手段４１は例えば、光を密閉するブラシである。
ストリップをカッティングする手段５０はボックス内に配置される。手段５０にはストリップ２０を縦横に切るためのカッティングシャーが配置される。本実施例において、カッティングシャーは長さＬにストリップを縦横に切る。それから長さＬのストリップ２０の幅は取り除かれる。例えば長さＬは８ｍｍと１５ｍｍの間であり、好ましくは約１０ｍｍである。トレイ６０はボックス１０内に装備され、カッティング手段５０の下にありカットされたフィルムを受け取る。カッティング手段５０は、図示してないが、ボックスの外からハンドルで操作される。ちょうどカットされたストリップ２０を保持するためには、１組のゴムローラー７０が、各組７０の２つのローラーの間を通過するストリップをカッティング手段５０のどちらかの側に装備される。
【０００８】
ストリップの両面を覆う遮光性材料を用いて、カットされたストリップとリールから来る残りのストリップを強固に接続するための手段８０がボックス１０に装備される。図２に表される接続手段８０はラベル８３の２つのディストリビュータ８１、８２から成り、これらはバンドパス（band's path ）のいずれかの側に配置される。互いに接触することなく２つのストリップを接続するために、各ディストリビュータ８１、８２はストリップの各面にそれぞれラベル８３を付け、２つのストリップは例えば、長さＬだけの距離を保ったままである。接続後２つのストリップを分離している距離は８ｍｍ以上であり、例えば１０ｍｍが好ましい。ラベル８３は遮光性の接着性のあるラベルである。接続手段は、図示していないが、ボックスの外からハンドルで操作される。
【０００９】
１つの面にあるラベルと別の面にあるラベルをつなげる手段９０は、ボックス内に装備される。本実施例ではラベルは接着性があるので、つなぎ手段９０は各面にラベルを貼り、よって２つのストリップ間のラベルをつなげることにより接着性ラベル８３を配布する接続手段８０から成る。別の実施例において、ラベルには接着性がない場合には、つなぎ手段９０は例えば熱密閉装置から成る装置を装備する。
【００１０】
好都合なことに、手段１００は長さＤのストリップをカットするために、ストリップの末端とカッティング装置の間のストリップの長さの測定し表示することができる。
ボックスの外及び第２開口部後では、接続されたストリップ２０がカットされる手段２００が装備される。カットは長さＤのストリップとリールから来る残りのストリップを分離する長さＬのラベル上で行われる。よって、長さＤの放射線用フィルムのストリップは遮光性な方法で完全に包装された形で得られる。ストリップは当初の包装で包み込まれ、その末端には遮光性ラベル８３が貼られている。
【００１１】
遮光性包装で包み込まれた放射線用フィルムのリールから、可変な長さＤの放射線用フィルムのストリップは遮光性な方法で完全に包まれており、フィルムを劣化させることなく便利に得られる。
オペレータはリールから来るフィルムのストリップ２０を遮光性ボックス１０へ導入する。ボックスは開けられ、オペレータはローラー１１０により決められる経路にストリップを配置する。ストリップ２０はボックス１０から出されたのち、ディスプレ１００がＤに等しいストリップの長さを表示するまでボックスから出るストリップの末端を引っ張ることにより、フィルムは巻き出される。その後オペレータはカッティング手段５０をハンドルを用いて作動され、ストリップの末端から距離ＤでＬの長さ分ストリップを縦横にカットする目的のために利用した。フィルムストリップが遮光性ボックス内にあるときにカットは行われるので、遮光性包装で覆われていないフィルムの部分は光から保護されたままである。その後オペレータは接続手段８０を作動させ、長さＤのストリップとリールから来る残りのストリップを、２つのストリップは長さＬの距離を保ったまま接続させる。接着性のある遮光性ラベル８３は２つのストリップをつなげるためにフィルムストリップの各面に貼られる。カッティング操作以後ストリップは動かされないので、２つのストリップは距離Ｌを有したままラベルにより接続される。それからオペレータは接続部がボックスの外を出るまで接続されたストリップを移動させる。次にオペレータは２つの連続的なストリップの末端がラベルの１片で覆われるように、ラベルの貼られた接続の中間周辺の接続部で接続されたストリップをカットする。このカッティング操作は第２の開口部４０の通過後ボックス１０の外で本発明の装置のカッティング手段で、又は本発明とは別のカッティング装置で行われる。
【００１２】
図示していないが本発明の別の実施例によれば、カッティング手段５０は単線にカットするように利用される。追加的な手段が接続の前に長さＬだけ２つのストリップ末端を分離させるために装備される。この実施例において、カッティング手段５０はボックス内に設け、連続した完全に遮光性ストリップを分離するために利用し、２つのストリップの間でつなげれる。カッティング手段に関して正確なフィルムストリップの位置決めをする手段は装備されなければならない。
【００１３】
よって遮光性な方法で完全に包装された長さＤの放射線用フィルムのストリップは得られる。
明らかに、もしオペレータが放射線用フィルムのいくつかのストリップを希望すれば、最後のカッティング操作を実施する前に、連続的に分離されそれらを強固に接続することにより包装された後の、連続的なフィルムストリップを分離すればよい。
【図面の簡単な説明】
【図１】本発明のよる装置の断面図である。
【図２】接続手段の断面図である。
【符号の説明】
１０        ボックス
２０        フィルム
３０        第１の開口部
３１        開口部（３０）の遮光性を確実にする手段
４０        第２の開口部
４１        開口部（４０）の遮光性を確実にする手段
５０        ストリップのカッティング手段
６０        トレイ
７０        ゴムローラー
８０        接続手段
８１、８２  ラベルディストリビュータ
８３        ラベル
９０        つなぎ手段
１００      カットされたストリップの長さを測定し表示する手段
１１０      ローラー
２００      カッティング手段
【図１】
0004259667.tif 000002
【図２】
0004259667.tif 000003